(57)【特許請求の範囲】
【請求項１】
携帯情報装置と通信する通信手段と、
ユーザによる操作が入力される操作受付手段と、
画像を表示する表示手段と、
前記携帯情報装置から要求が受信されることに応じて、操作を受け付けるための複数の操作画面のうち前記受信された要求に対応する操作画面を前記通信手段を介して前記携帯情報装置に送信する操作画面送信手段と、
前記操作画面の送信に応じて、ユーザ操作を補助するための複数の補助画面のうち、前記操作画面送信手段により送信された前記携帯情報装置に表示されている操作画面に対応する補助画面を前記表示手段に表示する表示制御手段と、を備えた画像形成装置。
【請求項２】
前記表示制御手段は、前記補助画面を第１の種類の画面として、さらにユーザーに通知するための情報を含むデータを含む第２の種類の画面、広告用の画像を示す第３の種類の画面を表示可能であり、
前記複数種類のうちから選択された１つを設定する設定手段を、さらに備え、
前記表示制御手段は、前記複数種類の画面のうち前記設定手段により設定された種類の画面を表示する、請求項１に記載の画像形成装置。
【請求項３】
前記複数種類のうちから１つを選択する指示を前記携帯情報装置から受け付ける指示受付手段を、さらに備え、
前記表示制御手段は、前記指示受付手段により指示が受け付けられる場合には、前記複数種類の画面のうちから、前記指示受付手段により受け付けられた指示により選択される種類の画面を表示し、前記指示受付手段により指示が受け付けられない場合には、前記複数種類の画面のうち前記設定手段により設定された種類の画面を表示する、請求項２に記載の画像形成装置。
【請求項４】
前記携帯情報装置から画像に割り当てられたネットワークアドレスを受信する場合、前記受け付けられたネットワークアドレスで特定される画像を取得する画像取得手段をさらに備え、
前記表示制御手段は、前記携帯情報装置から画像を特定するためのネットワークアドレスを受信する場合、前記取得された画像を表示する、請求項１〜３のいずれかに記載の画像形成装置。
【請求項５】
装置で発生したエラーを検出するエラー検出手段と、
装置で発生する複数のエラーにそれぞれ対応し、エラーに対応するユーザによる操作を示す複数のトラブルシュート用画面を記憶するトラブル画面記憶手段と、をさらに備え、
前記表示制御手段は、前記エラー検出手段によりエラーが検出される場合、該検出されたエラーに対応するトラブルシュート用画面を表示する、請求項１〜４のいずれかに記載の画像形成装置。
【請求項６】
原稿を読み取り、原稿画像を取得する原稿読取手段を、さらに備え、
前記表示制御手段は、前記原稿読取手段により原稿画像が取得される場合、前記取得された原稿画像を表示する、請求項１〜５のいずれかに記載の画像形成装置。
【請求項７】
携帯情報装置と通信する通信手段と、
ユーザによる操作が入力される操作受付手段と、
画像を表示する表示手段と、を備えた画像形成装置で実行される表示制御方法であって、
前記携帯情報装置から要求を受信するステップと、
前記受信するステップにおいて前記要求が受信されることに応じて、操作を受け付けるための複数の操作画面のうち前記受信された要求に対応する操作画面を前記通信手段を介して前記携帯情報装置に送信するステップと、
前記操作画面の送信に応じて、ユーザ操作を補助するための複数の補助画面のうち、前記送信するステップにおいて送信された前記携帯情報装置に表示されている操作画面に対応する補助画面を前記表示手段に表示するステップと、を含む表示制御方法。
【請求項８】
前記表示手段に表示するステップは、前記補助画面を第１の種類の画面として、さらにユーザーに通知するための情報を含むデータを含む第２の種類の画面、広告用の画像を示す第３の種類の画面を表示可能であり、
前記複数種類のうちから選択された１つを設定するステップを、さらに含み、
前記表示手段に表示するステップは、前記複数種類の画面のうち前記設定するステップにおいて設定された種類の画面を表示するステップを含む、請求項７に記載の表示制御方法。
【請求項９】
前記複数種類のうちから１つを選択する指示を前記携帯情報装置から受け付ける指示受付ステップをさらに含み、
前記表示手段に表示するステップは、前記指示受付ステップにおいて指示が受け付けられる場合には、前記複数種類の画面のうちから、前記指示受付ステップにおいて受け付けられた指示により選択される種類の画面を表示し、前記指示受付ステップにおいて指示が受け付けられない場合には、前記複数種類の画面のうち前記設定するステップにおいて設定された種類の画面を表示するステップを含む、請求項８に記載の表示制御方法。
【請求項１０】
携帯情報装置と通信する通信手段と、
ユーザによる操作が入力される操作受付手段と、
画像を表示する表示手段と、を備えた画像形成装置を制御するコンピュータで実行される表示制御プログラムであって、
前記携帯情報装置から要求を受信するステップと、
前記受信するステップにおいて前記要求が受信されることに応じて、操作を受け付けるための複数の操作画面のうち前記受信された要求に対応する操作画面を前記通信手段を介して前記携帯情報装置に送信するステップと、
前記操作画面の送信に応じて、ユーザ操作を補助するための複数の補助画面のうち、前記送信するステップにおいて送信された前記携帯情報装置に表示されている操作画面に対応する補助画面を前記表示手段に表示するステップと、を前記コンピュータに実行させる表示制御プログラム。
【請求項１１】
前記表示手段に表示するステップは、前記補助画面を第１の種類の画面として、さらにユーザーに通知するための情報を含むデータを含む第２の種類の画面、広告用の画像を示す第３の種類の画面を表示可能であり、
前記複数種類のうちから選択された１つを設定するステップをさらに前記コンピュータに実行させ、
前記表示手段に表示するステップは、前記複数種類の画面のうち前記設定するステップにおいて設定された種類の画面を表示するステップを含む、請求項１０に記載の表示制御プログラム。
【請求項１２】
前記複数種類のうちから１つを選択する指示を前記携帯情報装置から受け付ける指示受付ステップをさらに前記コンピュータに実行させ、
前記表示手段に表示するステップは、前記指示受付ステップにおいて指示が受け付けられる場合には、前記複数種類の画面のうちから、前記指示受付ステップにおいて受け付けられた指示により選択される種類の画面を表示し、前記指示受付ステップにおいて指示が受け付けられない場合には、前記複数種類の画面のうち前記設定するステップにおいて設定された種類の画面を表示するステップを含む、請求項１１に記載の表示制御プログラム。
【発明の詳細な説明】
【技術分野】
【０００１】
この発明は画像形成装置、表示制御方法および表示制御プログラムに関し、特に、外部から遠隔操作される画像形成装置、その画像形成装置で実行される表示方法および表示プログラムに関する。
【背景技術】
【０００２】
近年、複合機（ＭＦＰ）の機能が複雑化しており、操作を設定するための操作画面の内容や設定する項目が多岐に亘るようになってきている。さらに、ＭＦＰは複数のユーザに使用されるため、ＭＦＰを操作する機会の少ないユーザが複雑な操作手順を習得するのが困難となる場合がある。
【０００３】
一方、携帯電話機、ＰＤＡ（Ｐｅｒｓｏｎａｌ  Ｄｉｇｉｔａｌ  Ａｓｓｉｓｔａｎｔ）等の携帯情報装置が、個人のニーズに合うよう高機能化・多様化しており、個人に携帯されるために使用頻度がＭＦＰに比較して多く、ユーザは、その操作に慣れている。また、各種データの送受信やブラウザ操作など、ＭＦＰが備える機能と類似の機能も多い。また、携帯情報装置は、携帯するユーザが使い易いように表示画面の色情報や言語情報、音声機能などをカスタマイズしている場合が多い。
【０００４】
この携帯情報装置を、ＭＦＰに接続して、携帯情報装置から印刷装置を遠隔操作する技術が、例えば、特開２００４−６６５０２号公報に記載されている。しかしながら、特開２００４−６６５０２号公報に記載の技術では、ユーザが携帯情報装置で遠隔操作するために、印刷装置が備えるディスプレイに情報を表示しないので、ディスプレイが有効に使用されないといった問題があった。
【特許文献１】特開２００４−６６５０２号公報
【発明の概要】
【発明が解決しようとする課題】
【０００５】
この発明は上述した問題点を解決するためになされたもので、この発明の目的の１つは、携帯情報装置を用いて遠隔操作するユーザに多くの情報を視覚的に通知することが可能な画像形成装置を提供することである。
【０００６】
この発明の他の目的は、携帯情報装置を用いて遠隔操作するユーザに多くの情報を視覚的に通知することが可能な表示制御方法を提供することである。
【０００７】
この発明の他の目的は、携帯情報装置を用いて遠隔操作するユーザに多くの情報を視覚的に通知することが可能な表示制御プログラムを提供することである。
【課題を解決するための手段】
【０００８】
上述した目的を達成するためにこの発明のある局面によれば、画像形成装置は、携帯情報装置と通信する通信手段と、ユーザによる操作が入力される操作受付手段と、画像を表示する表示手段と、携帯情報装置から要求が受信されることに応じて、操作を受け付けるための複数の操作画面のうち受信された要求に対応する操作画面を通信手段を介して携帯情報装置に送信する操作画面送信手段と、操作画面の送信に応じて、ユーザ操作を補助するための複数の補助画面のうち、操作画面送信手段により送信された携帯情報装置に表示されている操作画面に対応する補助画面を表示手段に表示する表示制御手段と、を備える。
【０００９】
この局面によれば、携帯情報装置から要求が受信されることに応じて、操作を受け付けるための複数の操作画面のうち要求に対応する操作画面が携帯情報装置に送信され、操作画面の送信に応じて、携帯情報装置に表示されている操作画面に対応するユーザ操作を補助するための補助画面が表示される。このため、ユーザは、補助画面を閲覧しながら携帯情報装置で画像形成装置を操作することができる。その結果、携帯情報装置を用いて遠隔操作するユーザに多くの情報を視覚的に通知することが可能な画像形成装置を提供することができる。
【００１０】
好ましくは、表示制御手段は、補助画面を第１の種類の画面として、さらにユーザーに通知するための情報を含むデータを含む第２の種類の画面、広告用の画像を示す第３の種類の画面を表示可能であり、複数種類のうちから選択された１つを設定する設定手段を、さらに備え、表示制御手段は、複数種類の画面のうち設定手段により設定された種類の画面を表示する。
【００１１】
好ましくは、複数種類のうちから１つを選択する指示を携帯情報装置から受け付ける指示受付手段を、さらに備え、表示制御手段は、指示受付手段により指示が受け付けられる場合には、複数種類の画面のうちから、指示受付手段により受け付けられた指示により選択される種類の画面を表示し、指示受付手段により指示が受け付けられない場合には、複数種類の画面のうち設定手段により設定された種類の画面を表示する。
【００１２】
好ましくは、携帯情報装置から画像に割り当てられたネットワークアドレスを受信する場合、受け付けられたネットワークアドレスで特定される画像を取得する画像取得手段をさらに備え、表示制御手段は、携帯情報装置から画像を特定するためのネットワークアドレスを受信する場合、取得された画像を表示する。
【００１３】
好ましくは、装置で発生したエラーを検出するエラー検出手段と、装置で発生する複数のエラーにそれぞれ対応し、エラーに対応するユーザによる操作を示す複数のトラブルシュート用画面を記憶するトラブル画面記憶手段と、をさらに備え、表示制御手段は、エラー検出手段によりエラーが検出される場合、該検出されたエラーに対応するトラブルシュート用画面を表示する。
【００１４】
好ましくは、原稿を読み取り、原稿画像を取得する原稿読取手段を、さらに備え、表示制御手段は、原稿読取手段により原稿画像が取得される場合、取得された原稿画像を表示する。
【００１５】
この発明の他の局面によれば、表示制御方法は、携帯情報装置と通信する通信手段と、ユーザによる操作が入力される操作受付手段と、画像を表示する表示手段と、を備えた画像形成装置で実行される表示制御方法であって、携帯情報装置から要求を受信するステップと、受信するステップにおいて要求が受信されることに応じて、操作を受け付けるための複数の操作画面のうち受信された要求に対応する操作画面を通信手段を介して携帯情報装置に送信するステップと、操作画面の送信に応じて、ユーザ操作を補助するための複数の補助画面のうち、送信するステップにおいて送信された携帯情報装置に表示されている操作画面に対応する補助画面を表示手段に表示するステップと、を含む。
【００１６】
この局面に従えば、携帯情報装置を用いて遠隔操作するユーザに多くの情報を視覚的に通知することが可能な表示制御方法を提供することができる。
【００１７】
好ましくは、表示手段に表示するステップは、補助画面を第１の種類の画面として、さらにユーザーに通知するための情報を含むデータを含む第２の種類の画面、広告用の画像を示す第３の種類の画面を表示可能であり、複数種類のうちから選択された１つを設定するステップを、さらに含み、表示手段に表示するステップは、複数種類の画面のうち設定するステップにおいて設定された種類の画面を表示するステップを含む。
【００１８】
好ましくは、複数種類のうちから１つを選択する指示を携帯情報装置から受け付ける指示受付ステップをさらに含み、表示手段に表示するステップは、指示受付ステップにおいて指示が受け付けられる場合には、複数種類の画面のうちから、指示受付ステップにおいて受け付けられた指示により選択される種類の画面を表示し、指示受付ステップにおいて指示が受け付けられない場合には、複数種類の画面のうち設定するステップにおいて設定された種類の画面を表示するステップを含む。
【００１９】
この発明のさらに他の局面によれば、表示制御プログラムは、携帯情報装置と通信する通信手段と、ユーザによる操作が入力される操作受付手段と、画像を表示する表示手段と、を備えた画像形成装置を制御するコンピュータで実行される表示制御プログラムであって、携帯情報装置から要求を受信するステップと、受信するステップにおいて要求が受信されることに応じて、操作を受け付けるための複数の操作画面のうち受信された要求に対応する操作画面を通信手段を介して携帯情報装置に送信するステップと、操作画面の送信に応じて、ユーザ操作を補助するための複数の補助画面のうち、送信するステップにおいて送信された操作画面に対応するユーザ操作を補助するための補助画面を表示手段に表示するステップと、をコンピュータに実行させる。
【００２０】
この局面に従えば、携帯情報装置を用いて遠隔操作するユーザに多くの情報を視覚的に通知することが可能な表示制御プログラムを提供することができる。
【００２１】
好ましくは、表示手段に表示するステップは、補助画面を第１の種類の画面として、さらにユーザーに通知するための情報を含むデータを含む第２の種類の画面、広告用の画像を示す第３の種類の画面を表示可能であり、複数種類のうちから選択された１つを設定するステップをさらにコンピュータに実行させ、表示手段に表示するステップは、複数種類の画面のうち設定するステップにおいて設定された種類の画面を表示するステップを含む。
【００２２】
好ましくは、複数種類のうちから１つを選択する指示を携帯情報装置から受け付ける指示受付ステップをさらにコンピュータに実行させ、表示手段に表示するステップは、指示受付ステップにおいて指示が受け付けられる場合には、複数種類の画面のうちから、指示受付ステップにおいて受け付けられた指示により選択される種類の画面を表示し、指示受付ステップにおいて指示が受け付けられない場合には、複数種類の画面のうち設定するステップにおいて設定された種類の画面を表示するステップを含む。
【図面の簡単な説明】
【００２３】
【図１】本発明の実施の形態の１つにおける画像形成システムの全体概要を示す図である。
【図２】ＭＦＰの外観を示す斜視図である。
【図３】ＭＦＰのハードウェア構成の概要を示すブロック図である。
【図４】携帯情報装置のハードウェア構成の概要を示す機能ブロック図である。
【図５】画像形成システムにおけるサーバクライアントシステムの概念を説明するための図である。
【図６】ＭＦＰが備えるＣＰＵ１１１の機能の概要を示す機能ブロック図である。
【図７】表示制御処理の流れの一例を示すフローチャートである。
【発明を実施するための形態】
【００２４】
以下、本発明の実施の形態について図面を参照して説明する。以下の説明では同一の部品には同一の符号を付してある。それらの名称および機能も同じである。したがって、それらについての詳細な説明は繰り返さない。
【００２５】
図１は、本発明の実施の形態の１つにおける画像形成システムの全体概要を示す図である。図１を参照して、画像形成システム１は、それぞれがネットワーク２に接続された画像形成装置としてのＭＦＰ（Ｍｕｌｔｉ  Ｆｕｎｃｔｉｏｎ  Ｐｅｒｉｐｈｅｒａｌ）１００，１０１，１０２とパーソナルコンピュータ（以下「ＰＣ」という）１０５と、携帯情報装置２００と、無線局３００とを含む。
【００２６】
ＰＣ１０５は、一般的なコンピュータであり、ＭＦＰ１００，１０１，１０２を制御するためのプリンタドライバプログラムがインストールされている。なお、ＭＦＰ１００，１０１，１０２の種類が異なる場合、ＰＣ１０５には、ＭＦＰ１００，１０１，１０２を制御するための３種類のプリンタドライバプログラムがそれぞれインストールされる。
【００２７】
ＭＦＰ１００，１０１，１０２各々は、原稿を読み取るためのスキャナ装置、画像データに基づいて紙などの記録媒体に画像を形成するための画像形成装置およびファクシミリ装置を含み、画像読取機能、複写機能、ファクシミリ送受信機能を備えている。なお、本実施の形態においてはＭＦＰ１００，１０１，１０２を例に説明するが、ＭＦＰ１００，１０１，１０２に代えて、画像を形成する機能を備えた装置であれば、例えば、プリンタ、ファクシミリ装置等であってもよい。また、ＭＦＰ１００，１０１，１０２は、機能が同じなので以下の説明では特に言及しない限りＭＦＰ１００を例に説明する。
【００２８】
携帯情報装置２００は、一般的な携帯電話機であり、携帯電話網に接続された基地局と無線で通信することにより携帯電話網に接続し、通話およびデータ通信が可能である。また、携帯情報装置２００は、無線ＬＡＮ機能を備えており、無線局３００を介してネットワーク２に接続可能である。携帯情報装置２００は、携帯電話機に限らず、ＰＤＡ（Ｐｅｒｓｏｎａｌ  Ｄｉｇｉｔａｌ  Ａｓｓｉｓｔａｎｔ）等の小型の携帯可能なコンピュータであってもよい。
【００２９】
ネットワーク２は、ローカルエリアネットワーク（ＬＡＮ）であり、接続形態は有線または無線を問わない。またネットワーク２は、ＬＡＮに限らず、公衆交換電話網（Ｐｕｂｌｉｃ  Ｓｗｉｔｃｈｅｄ  Ｔｅｌｅｐｈｏｎｅ  Ｎｅｔｗｏｒｋｓ）を用いたネットワーク等であってもよい。さらに、ネットワーク２は、インターネットなどのワイドエリアネットワーク（ＷＡＮ）に接続されている。
【００３０】
無線局３００は、ネットワーク２の中継装置であり、無線ＬＡＮ通信機能を備えた携帯情報装置２００と通信して、携帯情報装置２００をネットワーク２に接続する。ＭＦＰ１００，１０１，１０２各々は、ネットワーク２を介してＰＣ１０５とデータの送受信が可能である。また、ＭＦＰ１００，１０１，１０２各々は、ネットワーク２および無線局３００を介して携帯情報装置２００とデータの送受信が可能である。
【００３１】
また、ＭＦＰ１００，１０１，１０２各々は、Ｂｌｕｅｔｏｏｔｈ（登録商標）等の近距離無線通信規格を用いた通信により、携帯情報装置２００と直接無線接続し、データを送受信するようにしてもよい。
【００３２】
図２は、ＭＦＰの外観を示す斜視図である。図３は、ＭＦＰのハードウェア構成の概要を示すブロック図である。図２および図３を参照して、ＭＦＰ１００は、メイン回路１１０と、原稿を読み取るための原稿読取部１３０と、原稿を原稿読取部１３０に搬送するための自動原稿搬送装置１２０と、原稿読取部１３０が原稿を読み取って出力する画像データに基づいて用紙等に画像を形成するための画像形成部１４０と、画像形成部１４０に用紙を供給するための給紙部１５０と、ユーザインターフェースとしての操作パネル１６０とを含む。
【００３３】
メイン回路１１０は、ＣＰＵ１１１と、通信インターフェース（Ｉ／Ｆ）部１１２と、ＲＯＭ１１３と、ＲＡＭ１１４と、大容量記憶装置としてのハードディスクドライブ（ＨＤＤ）１１５と、ファクシミリ部１１６と、ＣＤ−ＲＯＭ（Ｃｏｍｐａｃｔ  Ｄｉｓｋ  Ｒｅａｄ  Ｏｎｌｙ  Ｍｅｍｏｒｙ）１１８が装着される外部記憶装置１１７と、を含む。ＣＰＵ１１１は、自動原稿搬送装置１２０、原稿読取部１３０、画像形成部１４０、給紙部１５０および操作パネル１６０と接続され、ＭＦＰ１００の全体を制御する。
【００３４】
ＲＯＭ１１３は、ＣＰＵ１１１が実行するプログラム、またはそのプログラムを実行するために必要なデータを記憶する。ＲＡＭ１１４は、ＣＰＵ１１１がプログラムを実行する際の作業領域として用いられる。また、ＲＡＭ１１４は、原稿読取部１３０から連続的に送られてくる読取画像を一時的に記憶する。
【００３５】
操作パネル１６０は、ＭＦＰ１００の上面に設けられ、表示部１６１と操作部１６３とを含む。表示部１６１は、液晶表示装置（ＬＣＤ）、有機ＥＬＤ（Ｅｌｅｃｔｒｏ−Ｌｕｍｉｎｅｓｃｅｎｃｅ  Ｄｉｓｐｌａｙ）等の表示装置であり、ユーザに対する指示メニューや取得した画像データに関する情報等を表示する。操作部１６３は、複数のキーを備え、キーに対応するユーザの操作による各種の指示、文字、数字などのデータの入力を受け付ける。操作部１６３は、表示部１６１上に設けられたタッチパネルをさらに含む。
【００３６】
通信Ｉ／Ｆ部１１２は、ＭＦＰ１００をネットワーク２に接続するためのインターフェースである。ＣＰＵ１１１は、通信Ｉ／Ｆ部１１２を介してＭＦＰ１０１，１０２、ＰＣ１０５または携帯情報装置２００との間で通信し、データを送受信する。また、通信Ｉ／Ｆ部１１２は、ネットワーク２を介してインターネットに接続されたコンピュータと通信が可能である。
【００３７】
ファクシミリ部１１６は、公衆交換電話網（ＰＳＴＮ）に接続され、ＰＳＴＮにファクシミリデータを送信する、またはＰＳＴＮからファクシミリデータを受信する。ファクシミリ部１１６は、受信したファクシミリデータを、ＨＤＤ１１５に記憶する、または画像形成部１４０に出力する。画像形成部１４０は、ファクシミリ部１１６により受信されたファクシミリデータを用紙にプリントする。また、ファクシミリ部１１６は、ＨＤＤ１１５に記憶されたデータをファクシミリデータに変換して、ＰＳＴＮに接続されたファクシミリ装置に送信する。
【００３８】
外部記憶装置１１７は、ＣＤ−ＲＯＭ１１８が装着される。ＣＰＵ１１１は、外部記憶装置１１７を介してＣＤ−ＲＯＭ１１８にアクセス可能である。ＣＰＵ１１１は、外部記憶装置１１７に装着されたＣＤ−ＲＯＭ１１８に記録されたプログラムをＲＡＭ１１４にロードして実行する。なお、ＣＰＵ１１１が実行するプログラムは、ＣＤ−ＲＯＭ１１８に記録されたプログラムに限られず、ＨＤＤ１１５に記憶されたプログラムをＲＡＭ１１４にロードして実行するようにしてもよい。この場合、ネットワーク２に接続された他のコンピュータが、ＭＦＰ１００のＨＤＤ１１５に記憶されたプログラムを書換える、または、新たなプログラムを追加して書き込むようにしてもよい。さらに、ＭＦＰ１００が、ネットワーク２に接続された他のコンピュータからプログラムをダウンロードして、そのプログラムをＨＤＤ１１５に記憶するようにしてもよい。ここでいうプログラムは、ＣＰＵ１１１が直接実行可能なプログラムだけでなく、ソースプログラム、圧縮処理されたプログラム、暗号化されたプログラム等を含む。
【００３９】
本実施の形態における画像形成システム１において、ＭＦＰ１００，１０１，１０２および携帯情報装置２００間で、データが送受信される。データを送受信するプロトコルは、受信側の装置において送信元を特定することができれば、任意のプロトコルを用いることが可能である。データを送受信するプロトコルは、例えばＨＴＴＰ（ＨｙｐｅｒＴｅｘｔ  Ｔｒａｎｓｆｅｒ  Ｐｒｏｔｏｃｏｌ）、ＦＴＰ（Ｆｉｌｅ  Ｔｒａｎｓｆｅｒ  Ｐｒｏｔｏｃｏｌ）およびＳＭＰＴ（Ｓｉｍｐｌｅ  Ｍａｉｌ  Ｔｒａｎｓｆｅｒ  Ｐｒｏｔｏｃｏｌ）、ＰＯＰ（Ｐｏｓｔ  Ｏｆｆｉｃｅ  Ｐｒｏｔｏｃｏｌ）等が用いられる。
【００４０】
図４は、携帯情報装置のハードウェア構成の概要を示す機能ブロック図である。図４を参照して、携帯情報装置２００は、携帯情報装置２００の全体を制御するためのＣＰＵ２０１と、データを不揮発的に記憶するフラッシュメモリ２０３と、情報を表示する表示部２０５と、ユーザの操作の入力を受け付ける操作部２０７と、通話部２１１と接続された無線通信部２０９と、無線ＬＡＮＩ／Ｆ２１３とを含む。
【００４１】
無線通信部２０９は、携帯電話網に接続された携帯電話用基地局と無線通信する。無線通信部２０９は、携帯情報装置２００を携帯電話網に接続し、データ通信および通話部２１１を用いた通話を可能とする。無線通信部２０９は、データ通信する場合、携帯電話用基地局から受信した無線信号を復号したデータをＣＰＵ２０１に出力する。また、無線通信部２０９は、ＣＰＵ２０１から入力されるデータを符号化し、携帯電話用基地局に送信する。
【００４２】
無線通信部２０９は、通話する場合、携帯電話用基地局から受信した無線信号を復調した音声信号を復号して通話部２１１に出力する。また、無線通信部２０９は、通話部２１１から入力される音声を符号化し、携帯電話用基地局に送信する。通話部２１１は、マイクおよびスピーカを備え、無線通信部２０９から入力される音声をスピーカから出力し、マイクから入力される音声を無線通信部２０９に出力する。
【００４３】
表示部２０５は、液晶表示装置（ＬＣＤ）、有機ＥＬＤ等の表示装置であり、ユーザに対する指示メニューや取得した画像データに関する情報等を表示する。操作部２０７は、複数のキーを備え、キーに対応するユーザの操作による各種の指示、文字、数字などのデータの入力を受け付ける。
【００４４】
無線ＬＡＮＩ／Ｆ２１３は、無線局３００と通信し、携帯情報装置２００をネットワーク２に接続するためのインターフェースである。携帯情報装置２００に予めＭＦＰ１００，１０１，１０２それぞれがＷｅｂサーバとして機能する場合に、ＭＦＰ１００，１０１，１０２それぞれが記憶するＷｅｂページのＵＲＬ（Ｕｎｉｆｏｒｍ  Ｒｅｓｏｕｒｃｅ  Ｌｏｃａｔｏｒ）を予め登録しておくことにより、携帯情報装置２００は、ＭＦＰ１００，１０１，１０２からＷｅｂページを受信することができ、データの送受信が可能となる。また、ＭＦＰ１００，１０１，１０２それぞれのＩＰ（Ｉｎｔｅｒｎｅｔ  Ｐｒｏｔｏｃｏｌ）アドレスまたはＭＡＣ（Ｍｅｄｉａ  Ａｃｃｅｓｓ  Ｃｏｎｔｒｏｌ）アドレスを予め登録しておき、ＩＰアドレスまたはＭＡＣアドレスを用いてＭＦＰ１００，１０１，１０２と通信するようにしてもよい。
【００４５】
本実施の形態における画像形成システムにおいて、ＭＦＰ１００，１０１，１０２を、携帯情報装置２００で遠隔操作が可能となっている。このため、ＭＦＰ１００，１０１，１０２は、携帯情報装置２００により遠隔操作されるためのプログラムがインストールされ、携帯情報装置２００に遠隔操作するためのプログラムがインストールされる。例えば、本実施の形態における画像形成システムにおいては、サーバクライアントシステムを用いて携帯電話機２００によるＭＦＰ１００，１０１，１０２の遠隔操作を実現している。
【００４６】
図５は、画像形成システムにおけるサーバクライアントシステムの概念を説明するための図である。図５を参照して、ＭＦＰ１００，１０１，１０２は、パネル制御部１１と、操作画面管理部１３と、システム制御部１５と、を備える。システム制御部１５は、ＭＦＰ１００，１０１，１０２それぞれが備える自動原稿搬送装置１２０、原稿読取部１３０、画像形成部１４０、給紙部１５０を制御する。携帯情報装置２００は、表示制御部２１と、画面情報管理部２３と、を備える。操作画面管理部１３はＷｅｂサーバとして機能し、パネル制御部１１および表示制御部２１が操作画面管理部１３に対するＷｅｂクライアントとして機能する。また、操作画面管理部１３は、Ｗｅｂクライアントとしても機能し、画面情報管理部２３が、Ｗｅｂクライアントとして機能する操作画面管理部１３に対するＷｅｂサーバとして機能する。
【００４７】
より詳細に説明すると、パネル制御部１１は、例えば、ブラウジングプログラムをＣＰＵ１１１が実行することにより実現され、Ｗｅｂサーバである操作画面管理部１３に操作画面を要求し、操作画面管理部１３が出力する操作画面を、表示部１６１に表示する。また、パネル制御部１１は、表示部１６１に表示された操作画面に従ってユーザが操作部１６３に入力する操作を受け付け、Ｗｅｂサーバである操作画面管理部１３に出力する。操作画面管理部１３は、パネル制御部１１から操作が入力されると、例えば、ＣＧＩ（Ｃｏｍｍｏｎ  Ｇａｔｅｗａｙ  Ｉｎｔｅｒｆａｃｅ）を実行して、システム制御部１５に指令を出力する。
【００４８】
携帯情報装置２００が備える表示制御部２１は、例えば、ブラウジングプログラムをＣＰＵ２０１が実行することにより実現され、Ｗｅｂサーバである操作画面管理部１３に操作画面を要求し、操作画面管理部１３が出力する操作画面を、表示部２０５に表示する。また、表示制御部２１は、表示部２０５に表示された操作画面に従ってユーザが操作部２０７に入力する操作を受け付け、Ｗｅｂサーバである操作画面管理部１３に出力する。操作画面管理部１３は、表示制御部２１から操作が入力されると、例えば、ＣＧＩを実行して、システム制御部１５に指令を出力する。これにより、携帯情報装置２００によるＭＦＰ１００，１０１，１０２の遠隔操作が実現される。
【００４９】
携帯情報装置２００が備える画面情報管理部２３は、携帯情報装置２００が予め記憶する画面を管理し、要求に応じて画面自体またはＵＲＬ等の画面のネットワークアドレスを、出力する。ＭＦＰ１００，１０１，１０２が備える操作画面管理部１３は、表示制御部２１のＷｅｂサーバとして機能している間は、画面情報管理部２３に対するＷｅｂクライアントしても機能する。ＭＦＰ１００，１０１，１０２が備えるパネル制御部１１がＷｅｂサーバである操作画面管理部１３に操作画面を要求すると、操作画面管理部１３は、Ｗｅｂクライアントとして機能し、表示指示要求を、Ｗｅｂサーバである画面情報管理部２３に出力する。画面情報管理部２３は、表示指示要求に応じて表示指示を出力するので、Ｗｅｂクライアントとして機能する操作画面管理部１３は、画面情報管理部２３から表示指示が入力される。表示指示についての詳細は後述するが、画面を特定するための情報である。操作画面管理部１３は、画面情報管理部２３から表示指示が入力されると、Ｗｅｂサーバとして機能し、画面情報管理部２３から入力される表示指示により特定される画面をパネル制御部１１に出力する。パネル制御部１１は、画面情報管理部２３から入力される画面を、表示部１６１に表示する。このため、ＭＦＰ１００，１０１，１０２が携帯情報装置２００により遠隔操作されている間は、表示部１６１に携帯情報装置２００により指示された画面が表示される。
【００５０】
なお、本実施の形態では、画像形成システム１におけるサーバクライアントシステムを、ＷｅｂサーバおよびＷｅｂクライアントで実現する例を説明するが、ＭＦＰ１００，１０１，１０２および携帯情報装置２００それぞれに、専用のプログラムをインストールすることによってもサーバクライアントシステムを実現することができる。
【００５１】
図６は、ＭＦＰが備えるＣＰＵ１１１の機能の概要をＨＤＤに記憶されるデータとともに示すブロック図である。図６に示すＭＦＰ１００が備えるＣＰＵ１１１の機能は、ＣＰＵ１１１が、ＲＯＭ１１３、ＨＤＤ１１５またはＣＤ−ＲＯＭ１１８に記憶されたプログラムを実行することにより、ＣＰＵ１１１に形成される。
【００５２】
図６を参照して、ＣＰＵ１１１は、ユーザを認証するユーザ認証部５１と、表示する画像のデフォルト値を設定する設定部５３と、遠隔操作の要求を受信する要求受信部５５と、遠隔操作のための操作画面を送信する操作画面送信部５７と、指示受信部５９と、アドレス受信部６１と、画像を取得する画像取得部６３と、エラーを検出するエラー検出部６５と、原稿読取部１３０を制御する原稿読取制御部６７と、表示部１６１を制御する表示制御部６９と、を含む。
【００５３】
ユーザ認証部５１は、ＭＦＰ１００を操作するユーザを認証する。例えば、ＨＤＤ１１５に予めＭＦＰ１００の使用が認められたユーザのユーザＩＤとパスワードとの組を記憶しておき、ユーザがＭＦＰ１００に入力するユーザＩＤとパスワードとの組が、ＨＤＤ１１５に記憶されていれば、ユーザを認証する。ユーザ認証部５１は、ユーザを認証する場合、ログインを認める。ユーザ認証部５１は、ユーザが携帯情報装置２００を操作して、ＭＦＰ１００を遠隔操作する場合、認証画面を通信Ｉ／Ｆ１１２を介して携帯情報装置２００に送信し、携帯情報装置２００から受信されるユーザＩＤとパスワードとの組が、ＨＤＤ１１５に記憶されていることを条件に、携帯情報装置２００のユーザを認証し、ログインを認める。
【００５４】
設定部５３は、複数種類の画像のうちから１つを表示用の画像に設定する。例えば、ＭＦＰ１００の管理者が、画像の種類を操作部１６３に入力すると、入力された画像の種類の画像を、表示用の画像に設定する。ＨＤＤ１１５に複数の画像が複数種類に分類されて予め記憶されており、管理者は、複数の画像が分類される複数種類のうちから１つを選択することができる。ここでは、ＨＤＤ１１５は、第１の種類の画像としてヘルプ画面９３を記憶し、第２の種類の画像として予め定められたフォルダ９７にデータを記憶し、第３の種類の画像として広告画像９５を記憶する。
【００５５】
ヘルプ画面９３は、ユーザが操作を入力するための操作画面に対応し、操作画面で受け付けるための操作を補助するための画面である。例えば、ヘルプ画面は、操作画面名で特定される操作画面にしたがった入力を補助するための図形または／およびメッセージを含む画面である。操作画面は、後述するように遠隔操作用の操作画面を含み、複数ある。このため、ヘルプ画面９３は、複数の操作画面にそれぞれ対応して複数が記憶される。フォルダ９７に記憶されるデータは、ＭＦＰ１００のユーザに通知するための情報を含むデータである。例えば、ログインユーザ宛の電子メール、社内報等である。広告画像９５は、広告画像は、広告用の画像であり、例えば、スポンサーによって提供される。
【００５６】
設定部５３は、管理者が操作部１６３に入力する指示に基づいて、第１〜第３の種類の画像のうちから選択された１つの種類の画像を表示用の画像に設定するために、選択された種類を識別するための種類識別情報を含む設定情報をＨＤＤ１１５に記憶する。これにより、ＨＤＤ１１５に設定情報９１が記憶される。
【００５７】
要求受信部５５は、通信Ｉ／Ｆ１１２を制御し、ユーザ認証部５１によって認証されたユーザが操作する携帯情報装置２００から要求を受信する。携帯情報装置２００から受信される要求は、例えば、コピー処理のための操作画面の送信要求、ファクシミリ送信処理のための操作画面の送信要求、プリント処理のための操作画面の送信要求、データ送信処理のための操作画面の送信要求、管理情報をメンテナンスする処理のための操作画面の送信要求等である。要求受信部５５は、受信された要求と、要求を送信してきた携帯情報装置２００を識別するための装置識別情報との組を、操作画面送信部５７に出力する。装置識別情報は、例えば、ＩＰ（Ｉｎｔｅｒｎｅｔ  Ｐｒｏｔｏｃｏｌ）アドレスまたはＭＡＣ（Ｍｅｄｉａ  Ａｃｃｅｓｓ  Ｃｏｎｔｒｏｌ）アドレスである。
【００５８】
操作画面送信部５７は、要求受信部５５から要求と装置識別情報との組が入力されると、受信された要求に対応する操作画面を、通信Ｉ／Ｆ１１２を介して携帯情報装置２００に送信する。携帯情報装置２００に送信するための遠隔操作用の複数の操作画面が予めＲＯＭ１１３に記憶されており、遠隔操作用の複数の操作画面のうちから要求に対応する操作画面を選択して、通信Ｉ／Ｆ１１２を介して携帯情報装置２００に送信する。また、操作画面送信部５７は、送信された操作画面を識別するための操作画面名を表示制御部６７に出力する。
【００５９】
操作画面を受信する携帯情報装置２００においては、表示部２０５に受信された操作画面を表示し、ユーザが操作部２０７に入力する操作を、ＭＦＰ１００に返信する。操作画面送信部５７は、携帯情報装置２００が返信する操作を、通信Ｉ／Ｆ１１２が受信すると、受信された操作を取得し、操作に従った処理を実行する。これにより、携帯情報装置２００によるＭＦＰ１００の遠隔操作が実現される。
【００６０】
例えば、コピー処理のための操作画面を送信した場合には、コピー処理を実行するための操作が受信されるので、コピー処理を実行する。また、ファクシミリ送信処理のための操作画面を送信した場合には、ファクシミリ送受信処理を実行するための操作が受信されるので、ファクシミリ送受信処理を実行する。プリント処理のための操作画面を送信した場合には、プリント処理を実行するための操作が受信されるので、プリント処理を実行する。データ送信処理のための操作画面を送信した場合には、データ送信処理を実行するための操作が受信されるので、データ送信処理を実行する。管理情報をメンテナンスする処理のための操作画面を送信した場合には、メンテナンスする処理を実行するための操作が受信されるので、管理情報をメンテナンスする処理を実行する。
【００６１】
指示受信部５９は、通信Ｉ／Ｆ１１２を制御し、ユーザ認証部５１によって認証されたユーザが操作する携帯情報装置２００から選択指示を受信する。具体的には、指示受信部５９は、ユーザ認証部５１によって認証されたユーザが操作する携帯情報装置２００に、選択画面を、送信する。選択画面は、第１〜第３の種類の画像のうちから１つの種類の画像を選択する操作を受け付けるための画面である。携帯情報装置２００のユーザが、第１〜第３の種類の画像のうちから１つの種類の画像を選択する操作を携帯情報装置２００に入力すれば、携帯情報装置２００は、選択された種類を特定するための種類識別情報をＭＦＰ１００に送信する。指示受信部５９は、通信Ｉ／Ｆ１１２を制御して、携帯情報装置２００から種類識別情報を受信する。受信される種類識別情報は、第１〜第３の種類の画像のうちから１つの種類の画像を選択する選択指示である。指示受信部５９は、携帯情報装置２００から種類識別情報を受信すると、受信された種類識別情報を表示制御部６９に出力する。
【００６２】
表示制御部６９は、設定画像表示部７１と、取得画像表示部７３と、エラー画像表示部７５と、原稿画像表示部７７と、を含む。設定画像表示部７１は、操作画面送信部５７から操作画面名が入力されると、指示受信部５９から種類識別情報が入力されていないことを条件に、設定情報９１を読出し、設定情報９１に含まれる種類識別情報で特定される種類の画像を、表示部１６１に表示する。設定画像表示部７１は、操作画面送信部５７から操作画面名が入力されると、指示受信部５９から種類識別情報が入力されている場合は、設定情報９１を読み出すことなく、指示受信部５９から入力される種類識別情報で特定される種類の画像を、表示部１６１に表示する。
【００６３】
設定画像表示部７１は、種類識別情報が第１の種類の画像を特定する場合、ＨＤＤ１１５に記憶されている複数のヘルプ画面９３のうちから操作画面送信部５７から入力される操作画面名で特定される操作画面に対応するヘルプ画面を読出し、読み出されたヘルプ画面を表示部１６１に表示する。設定画像表示部７１は、操作画面送信部５７から操作画面名が入力されるごとに、操作画面に対応するヘルプ画面を読出し、表示部１６１に表示する。したがって、携帯情報装置２００を操作するユーザは、携帯情報装置２００の表示部２０５に表示された操作画面と、ＭＦＰ１００の表示部１６１に表示されたヘルプ画面とを、同時に閲覧することができる。このため、ヘルプ画面を見ながら操作画面に従って、操作部２０７に操作を入力することができる。このため、操作画面とヘルプ画面とを切り換える必要がない。
【００６４】
設定画像表示部７１は、種類識別情報が第２の種類の画像を特定する場合、ＨＤＤ１１５のフォルダ９７に記憶されているデータを読出し、読み出されたデータの画像を表示部１６１に表示する。したがって、携帯情報装置２００を操作するユーザは、携帯情報装置２００の表示部２０５に表示された操作画面と、ＭＦＰ１００の表示部１６１に表示されたデータの画像とを、同時に閲覧することができる。フォルダ９７に記憶されるデータは、電子メール、社内報なので、ユーザ認証部５１により認証されたユーザ宛の電子メール、そのユーザに関連する社内報をユーザに通知することができる。
【００６５】
設定画像表示部７１は、種類識別情報が第３の種類の画像を特定する場合、ＨＤＤ１１５に記憶されている広告画像９５を読出し、読み出された広告画像を表示部１６１に表示する。したがって、携帯情報装置２００を操作するユーザは、携帯情報装置２００の表示部２０５に表示された操作画面と、ＭＦＰ１００の表示部１６１に表示された広告画像とを、同時に閲覧することができる。
【００６６】
アドレス受信部６１は、通信Ｉ／Ｆ１１２を制御し、ユーザ認証部５１によって認証されたユーザが操作する携帯情報装置２００から画像に割り当てられたネットワークアドレスを受信する。ここでは、ネットワークアドレスをＵＲＬ（Ｕｎｉｆｏｒｍ  Ｒｅｓｏｕｒｃｅ  Ｌｏｃａｔｏｒ）としている。具体的には、指示受信部５９は、ユーザ認証部５１によって認証されたユーザが操作する携帯情報装置２００に、アドレス指定画面を送信する。アドレス指定画面は、画像に割り当てられたＵＲＬを入力する領域を含む。携帯情報装置２００のユーザが、ＵＲＬを携帯情報装置２００に入力すれば、携帯情報装置２００は、入力されたＵＲＬをＭＦＰ１００に送信する。通信Ｉ／Ｆ１１２が携帯情報装置２００からＵＲＬを受信すると、アドレス受信部６１は、ＵＲＬを受信する。アドレス受信部６１は、携帯情報装置２００からＵＲＬを受信すると、受信されたＵＲＬを画像取得部６３に出力する。
【００６７】
画像取得部６３は、アドレス受信部６１から入力されるＵＲＬで特定される画像を通信Ｉ／Ｆ部１１２を介して取得し、取得された画像を取得画像表示部７３に出力する。
【００６８】
取得画像表示部７３は、画像取得部６３から画像が入力されると、入力される画像を表示部１６１に表示する。取得画像表示部７３は、表示部１６１に設定画像表示部７１により画像が表示されている場合は、その画像よりも優先して、画像取得部６３から入力される画像を表示部１６１に表示する。
【００６９】
エラー検出部６５は、ＭＦＰ１００に発生するエラーを検出する。例えば、紙詰まり、トナー切れ等のエラーをセンサーにより検出する。エラー検出部６５は、エラーを検出すると、検出されたエラーに対して予め定められたエラーコードをエラー画像表示部７５に出力する。
【００７０】
エラー画像表示部７５は、エラー検出部６５からエラーコードが入力されると、ＨＤＤ１１５に記憶されているトラブルシュート用画像９９のうちからエラーコードに対応するトラブルシュート用画像を読出し、読み出されたトラブルシュート用画像を表示部１６１に表示する。エラー画像表示部７５は、エラー検出部６５からエラーコードが入力されるごとに、入力されるエラーコードに対応するトラブルシュート用画像を読出し、表示部１６１に表示する。エラー画像表示部７５は、表示部１６１に設定画像表示部７１により画像が表示されている場合、または、取得画像表示部７３により画像が表示されている場合は、それらの画像よりも優先して、トラブルシュート用画像を表示部１６１に表示する。
【００７１】
したがって、携帯情報装置２００を操作するユーザは、携帯情報装置２００の表示部２０５に表示された操作画面と、ＭＦＰ１００の表示部１６１に表示されたトラブルシュート用画像とを、同時に閲覧することができる。このため、トラブルシュート用画像を見ながらエラーを改善する作業を実行することができ、その後、操作画面に従って、操作部２０７に操作を入力することができる。
【００７２】
原稿読取制御部６７は、原稿読取部１４０を制御し、原稿読取部１４０が原稿を読み取って出力する原稿画像を取得する。原稿読取制御部６７は、取得された原稿画像を原稿画像表示部７７に出力する。
【００７３】
原稿画像表示部７７は、原稿読取制御部６７から原稿画像が入力されることに応じて、原稿画像を表示部１６１に表示する。換言すれば、ＭＦＰ１００によりスキャン処理が実行された場合に、原稿画像をプレビュー表示する。原稿画像表示部７７は、原稿読取制御部６７から原稿画像が入力される場合は、表示部１６１に設定画像表示部７１により画像が表示されている場合、または、取得画像表示部７３により画像が表示されている場合であっても、それらの画像よりも優先して、原稿画像を表示部１６１に表示する。
【００７４】
図７は、表示制御処理の流れの一例を示すフローチャートである。表示制御処理は、ＭＦＰ１００が備えるＣＰＵ１１１が、ＲＯＭ１１３、ＨＤＤ１１５またはＣＤ−ＲＯＭ１１８に記憶されたプログラムを実行することにより、ＣＰＵ１１１により実行される処理である。図７を参照して、ＣＰＵ１１１は、携帯情報装置２００からのログインが成功したか否かを判断する（ステップＳ０１）。通信Ｉ／Ｆ部１１２が携帯情報装置２００からユーザＩＤとパスワードとを受信し、受信されたユーザＩＤとパスワードとに基づく認証が成功したならばログインに成功したと判断する。携帯情報装置２００からのログインが成功するまで待機状態となり（ステップＳ０１でＮＯ）、ログインが成功したならば（ステップＳ０１でＹＥＳ）、処理をステップＳ０２に進める。
【００７５】
ステップＳ０２においては、要求を受信したか否かを判断する。要求を受信したならば処理をステップＳ０３に進めるが、そうでなければ処理をステップＳ１５に進める。通信Ｉ／Ｆ部１１２が、ステップＳ０１においてログインに成功した携帯情報装置２００から要求を受信したか否かを判断する。要求は、操作画面の送信の要求である。ステップＳ０３においては、受信された要求に対応する操作画面をステップＳ０１においてログインに成功した携帯情報装置２００に通信Ｉ／Ｆ部１１２を介して送信する。
【００７６】
次のステップＳ０４においては、選択指示を受信したか否かを判断する。選択画面を通信Ｉ／Ｆ部１１２を介してステップＳ０１においてログインに成功した携帯情報装置２００に送信し、携帯情報装置２００から選択指示を受信したか否かを判断する。選択指示を受信したならば処理をステップＳ０５に進めるが、そうでなければ処理をステップＳ０６に進める。ステップＳ０５においては、受信された選択指示に含まれる種類識別情報で特定される画像の種類を表示用の画像の種類に決定し、処理をステップＳ０８に進める。
【００７７】
一方、ステップＳ０６においては、ＨＤＤ１１６に記憶されている設定情報９１を読み出す。次のステップＳ０７においては、読み出された設定情報に含まれる種類識別情報で特定される画像の種類を表示用の画像の種類に決定し、処理をステップＳ０８に進める。
【００７８】
ステップＳ０８においては、ステップＳ０５またはステップＳ０７において決定された種類によって処理を分岐させる。種類が第１の種類ならば処理をステップＳ０９に進め、第２の種類ならば処理をステップＳ１１に進め、第３の種類ならば処理をステップＳ１３に進める。
【００７９】
ステップＳ０９においては、ステップＳ０３において送信された操作画面に対応するヘルプ画面をＨＤＤ１１５に記憶された複数のヘルプ画面９３のうちから読み出す。次のステップＳ１０においては、ステップＳ０９において読み出されたヘルプ画面を表示部１６１に表示し、処理をステップＳ１５に進める。
【００８０】
ステップＳ１１においては、ＨＤＤ１１５のフォルダ９７に記憶されたデータを読み出す。次のステップＳ１２においては、読み出されたデータの画像を表示部１６１に表示し、処理をステップＳ１５に進める。
【００８１】
ステップＳ１３においては、ＨＤＤ１１５に記憶されている広告画像９５を読み出す。次のステップＳ１４においては、読み出された広告画像９５を表示部１６１に表示し、処理をステップＳ１５に進める。
【００８２】
ステップＳ１５においては、エラーが発生したか否かを判断する。エラーが発生したならば処理をステップＳ１６に進めるが、そうでなければ処理をステップＳ１８に進める。ステップＳ１６においては、発生したエラーに対応し予めＨＤＤ１１５に記憶されたトラブルシュート用画像９９を読み出す。次のステップＳ１７においては、読み出されたトラブルシュート用画像９９を表示部１６１に表示し、処理をステップＳ１８に進める。
【００８３】
ステップＳ１８においては、スキャンが実行されたか否かを判断する。ユーザが、遠隔操作によりスキャンする指示を入力することにより、原稿を読み取るスキャンが実行される。スキャンが実行されたならば処理をステップＳ１９に進めるが、そうでなければ処理をステップＳ２０に進める。ステップＳ１９においては、原稿読取部１３０が原稿を読み取って出力する原稿画像を表示部１６１にプレ表示し、処理をステップＳ２０に進める。
【００８４】
ステップＳ２０においては、ログアウト指示を受け付けたか否かを判断する。ステップＳ０１においてログインに成功した携帯情報装置２００からログアウト指示が受信されたならば、ログアウト指示を受け付ける。ログアウト指示を受け付けたならば処理を終了するが、そうでなければ処理をステップＳ０２に戻す。
【００８５】
以上説明したように、本実施の形態におけるＭＦＰ１００，１０１，１０２は、携帯情報装置２００と通信する通信Ｉ／Ｆ部１１２と、ユーザによる操作が入力される操作部１６３と、画像を表示する表示部１６１と、携帯情報装置２００から要求が受信されることに応じて、操作を受け付けるための複数の操作画面のうち受信された要求に対応する操作画面を通信Ｉ／Ｆ部１１２を介して携帯情報装置２００に送信する操作画面送信部５７と、操作画面の送信に応じて、操作部１６３に操作の入力をユーザに要求しない操作不要画像を表示部１６１に表示する表示制御部６９と、を備える。このため、ユーザは携帯情報装置２００でＭＦＰ１００，１０１，１０２を操作しつつ、操作不要画像を閲覧することができる。
【００８６】
また、複数種類の画像のうちから選択された１つを表示用の画像に設定する設定部５３を、さらに備え、表示制御部６９は、複数種類の画像のうち設定部５３により表示用の画像に設定された種類の画像を表示する。このため、予めユーザが表示用の画像に設定した種類の画像を表示部１６１に表示させることができる。設定情報９１を、ユーザごとに記憶するようにすれば、ログインユーザごとに異なる種類の画像を表示部１６１に表示することができる。
【００８７】
また、複数種類の画像のうちから１つを選択する指示を携帯情報装置２００から受け付ける指示受付部５９を、さらに備え、表示制御部６９は、指示受付部５９により指示が受け付けられる場合には、複数種類の画像のうちから、受け付けられた指示により選択される種類の画像を表示部１６１に表示し、指示が受け付けられない場合には、複数種類の画像のうち設定部５３により設定された種類の画像を表示する。このため、携帯情報装置２００を操作するユーザが、ＭＦＰ１００を操作中に、表示部１６１に表示させる画像の種類を、携帯情報装置２００から指定することができる。
【００８８】
また、携帯情報装置２００から画像に割り当てられたＵＲＬを受信する場合、受け付けられたＵＲＬで特定される画像を取得する画像取得部６３をさらに備え、表示制御部６９は、携帯情報装置２００から画像を特定するためのＵＲＬを受信する場合、取得された画像を表示部１６１に表示する。このため、携帯情報装置２００を操作するユーザは、携帯情報装置２００に入力したＵＲＬの画像を、表示部１６１に表示させることができる。例えば、画像形成装置１００，１０１，１０２を遠隔操作する前の段階で、携帯情報装置２００でブラウジングしていたＷｅｂページのＵＲＬを指定すれば、遠隔操作前に携帯情報装置２００に表示されていたＷｅｂページを、遠隔操作中にＭＦＰ１００，１０１，１０２の表示部１６１に表示させることができる。
【００８９】
また、ＭＦＰ１００，１０１，１０２で発生したエラーを検出するエラー検出部６５と、装置で発生する複数のエラーにそれぞれ対応し、エラーに対応するユーザによる操作を示す複数のトラブルシュート用画面を記憶するＨＤＤ１１５と、をさらに備え、表示制御部６９は、エラー検出部６５によりエラーが検出される場合、該検出されたエラーに対応するトラブルシュート用画面を表示するエラー画像表示部７５を含む。このため、遠隔操作中に、操作画面と、トラブルシュート画面とを同時に閲覧することができ、トラブルシューロ画面を見ながらエラーを改善する作業をすることができ、エラーの改善後に、操作画面に基づいて遠隔操作することができる。
【００９０】
また、原稿を読み取り、原稿画像を取得する原稿読取部１３０を、さらに備え、表示制御部６９は、原稿読取部１３０により原稿画像が取得される場合、取得された原稿画像を表示部１６１に表示する原稿画像表示部７７を含む。ＭＦＰ１００によりスキャン処理が実行された場合に、原稿画像が表示部１６１にプレビュー表示される。このため、携帯情報装置２００で操作画面を閲覧しつつ、表示部１６１に表示された原稿画像で、スキャンされた原稿画像を確認することができる。携帯情報装置２００に操作画面に代えて原稿画像を表示する場合は、原稿を再読取する場合には操作画面を再表示させなければならないが、原稿画像が表示部１６１に表示されるため、操作画面を再表示させる必要がなく、直ちに操作を入力することができる。
【００９１】
なお、上述した実施の形態においては、画像形成システム１について説明したが、図７に示した表示制御処理をＭＦＰ１００，１０１，１０２に実行させる表示制御方法、またはその表示制御方法をＭＦＰ１００，１０１，１０２を制御するＣＰＵ１１１に実行させるための表示制御プログラムとして発明を特定することができるのは言うまでもない。
【００９２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００９３】
＜付記＞
（１）  前記複数種類の画像は、前記複数の操作画面それぞれに対応する複数のヘルプ画面からなる第１の種類の画像を含み、
前記複数のヘルプ画面それぞれは、対応する操作画面で受け付けるための操作を補助するための画面であり、
前記表示制御手段は、前記第１の種類の画像が選択される場合、前記複数の操作画面のうち前記操作画面送信手段により送信された操作画面に対応するヘルプ画面を表示する、請求項２または３に記載の画像形成装置。
（２）  データを記憶する記憶手段を、さらに備え、
前記複数種類の画像は、前記記憶手段の予め定められた記憶領域に記憶されたデータ（電子メール、社内報）の画像からなる第２の種類の画像を含み、
前記表示制御手段は、前記第２の種類の画像が選択される場合、前記記憶手段の予め定められた記憶領域に記憶されたデータの画像を表示する、請求項２または３または（１）のいずれかに記載の画像形成装置。
（３）  広告画像を予め記憶する広告画像記憶手段をさらに備え、
前記複数種類の画像は、前記広告画像記憶手段に記憶された広告画像からなる第３の種類の画像を含み、
前記表示制御手段は、前記第３の種類の画像が選択される場合、前記広告画像記憶手段に記憶された広告画像を表示する、請求項２または３または（１）または（２）のいずれかに記載の画像形成装置。
【符号の説明】
【００９４】
１  画像形成システム、２  ネットワーク、１１  パネル制御部、１３  操作画面管理部、１５  システム制御部、２１  表示制御部、２３  画面情報管理部、５１  ユーザ認証部、５３  設定部、５５  要求受信部、５７  操作画面送信部、５９  指示受信部、６１  アドレス受信部、６３  画像取得部、６５  エラー検出部、６７  原稿読取制御部、６９  表示制御部、７１  設定画像表示部、７３  取得画像表示部、７５  エラー画像表示部、７７  原稿画像表示部、９１  設定情報、９３  ヘルプ画面、９５  広告画像、９７  フォルダ、９９  トラブルシュート用画像、１１０  メイン回路、１１１  ＣＰＵ、１１２  通信Ｉ／Ｆ部、１１３  ＲＯＭ、１１４  ＲＡＭ、１１５  ＨＤＤ、１１６  ファクシミリ部、１１７  外部記憶装置、１２０  自動原稿搬送装置、１３０  原稿読取部、１４０  画像形成部、１４０  原稿読取部、１５０  給紙部、１６０  操作パネル、１６１  表示部、１６３  操作部、２００  携帯情報装置、２０１  ＣＰＵ、２０３  フラッシュメモリ、２０５  表示部、２０７  操作部、２０９  無線通信部、２１１  通話部、３００  無線局。
【図１】
0005510236.tif 000002
【図２】
0005510236.tif 000003
【図３】
0005510236.tif 000004
【図４】
0005510236.tif 000005
【図５】
0005510236.tif 000006
【図６】
0005510236.tif 000007
【図７】
0005510236.tif 000008